(57)【要約】【課題】従来、小型のコンバータトランスにおいては、その構造上、コア半体同士を接着剤等で固定していた。また、コアの磁脚（中足）については、その断面積が小さいために接着しないことが多かった。しかしながら、上記の未接着が原因でトランスからうなり音が発生することがあり、問題であった。【解決手段】外周部に巻線８が巻回される円筒状部９を有するコイルボビン７と、このボビン７の前記円筒状部９の円筒内にその磁脚４、５同士が若干の間隙をもって突き合わせられるようにして挿入された１対のコア半体１、２とを具備し、前記コイルボビン７の少なくとも前記コア半体１、２の前記磁極４、５突き合わせ部に対向する部分の内径をその他の部分における内径よりも大きく形成するようにした。【選択図】  図１
2004200336.tif 000002
【特許請求の範囲】
【請求項１】
外周部に巻線が巻回される円筒状部を有するコイルボビンと、このコイルボビンの前記円筒状部の円筒内にその磁脚同士が若干の間隙をもって突き合わせられるようにして挿入された１対のコア半体とを具備したコンバータトランスであって、前記コイルボビンは少なくとも前記コア半体の前記磁極突き合わせ部に対向する部分の内径がその他の部分における内径よりも大きく形成されていることを特徴とするコンバータトランス。
【請求項２】
請求項１記載のコンバータトランスにおいて、前記コイルボビンの前記円筒状部はその一端側のみ内径が狭く、前記一端側以外の部分では内径が広く形成されていることを特徴とするコンバータトランス。
【請求項３】
請求項１または２記載のコンバータトランスにおいて、前記１対のコア半体の前記磁脚同士は接着剤にて接着されていることを特徴とするコンバータトランス。
【請求項４】
請求項３記載のコンバータトランスにおいて、前記コイルボビンは前記コア半体の一方と磁脚以外の部分で接着固定されていることを特徴とするコンバータトランス。
【発明の詳細な説明】
【０００１】
【発明の属する技術分野】
本発明は、コンバータトランスに関する。
【０００２】
【従来の技術】
テレビジョン受像器にて使用される待機電源を始めとして比較的小型のスイッチング電源においては、そこで使用されるコンバータトランスも小型のものが多い。この小型のコンバータトランスは、その構造上、コア半体同士を接着剤等で固定するが、コアの磁脚（中足）同士については、その断面積が小さいために接着しないことが多い。特許文献１には、コアの磁脚の突合せ部にギャップを形成したものではあるが、このような小型のコンバータトランスの一例が示されている。
【０００３】
しかしながら、上記従来のコンバータトランスにおいては、上述したコアの磁脚同士の未接着が原因でトランスからうなり音が発生することがあり、問題となっていた。このうなり音は、コンバータトランスにおいては小電力での効率を上げるために間欠発振を行うが、この発振周波数が人間の可聴域に近い周波数となるために生じるものである。
【０００４】
【特許文献１】
特許第２９７３５１４号公報
【０００５】
【発明が解決しようとする課題】
以上述べたように従来のコンバータトランスにおいては、コアの磁脚の未接着が原因で、うなり音が発生することがあるという問題があった。
【０００６】
本発明はこのような問題点を解決するためになされたもので、うなり音が発生しにくいコンバータトランスを提供することを目的とする。
【０００７】
【課題を解決するための手段】
請求項１にかかるコンバータトランスは、外周部に巻線が巻回される円筒状部を有するコイルボビンと、このコイルボビンの前記円筒状部の円筒内にその磁脚同士が若干の間隙をもって突き合わせられるようにして挿入された１対のコア半体とを具備したコンバータトランスであって、前記コイルボビンは少なくとも前記コア半体の前記磁極突き合わせ部に対向する部分の内径がその他の部分における内径よりも大きく形成されていることを特徴とするものである。
【０００８】
請求項２にかかるコンバータトランスは、請求項１記載のコンバータトランスにおいて、前記コイルボビンの前記円筒状部はその一端側のみ内径が狭く、前記一端側以外の部分では内径が広く形成されていることを特徴とするものである。
【０００９】
請求項３にかかるコンバータトランスは、請求項１または２記載のコンバータトランスにおいて、前記１対のコア半体の前記磁脚同士は接着剤にて接着されていることを特徴とするものである。
【００１０】
請求項４にかかるコンバータトランスは、請求項３記載のコンバータトランスにおいて、前記コイルボビンは前記コア半体の一方と磁脚以外の部分で接着固定されていることを特徴とするものである。
【００１１】
【発明の実施の形態】
以下、本発明になるコンバータトランスの実施の形態について図面を用いて説明する。
【００１２】
図１は、本発明になるコンバータトランスの一実施の形態を示す断面図であり、図２は図１に示されたコンバータトランスの外観を示す正面図である。図において、１及び２はトランスを構成するコア３の半体であり、断面形状はそれぞれＥ字状となっている。すなわちコア半体１、２の中央部には磁脚（中足）４、５が配設され、これら磁脚４及び５は、若干の間隙（数十マイクロメートル程度以下）をおいて対向している。そしてコア半体１及び２は対向面間で接着されてコア３が形成されている。６は、磁脚４及び５の間隙にあって両者を接着している接着剤である。なお、コア３の各半体１、２の他の対向面間には間隙がないため、接着剤は図示していない。
【００１３】
一方、７は巻線８がその円筒状部９の外周面１０に巻回されたコイルボビンであり、このコイルボビン７の円筒状部９は図中上部ではその内径が狭く、コア半体１、２の磁脚４、５の突き合わせ位置に対応する中央部から図中下部にかけては内径が広く形成されている。なお、コイルボビン７の円筒状部９の上記中央部分と磁脚４、５との距離は、１ｍｍ程度以下に設定されている。また、コイルボビン７は図中その上部が接着剤１１、１２によってコア３（コア半体１）に固定されている。
【００１４】
１３はコイルボビンの台座であり、１４及び１５は、この台座１３に設けられたコンバータトランスのピンである。これらのピン１４、１５にはコイルボビン７の巻線８からの引き出し線１６、１７が巻回されている（図２を参照）。
【００１５】
上記実施の形態によれば、磁脚４及び５が接着剤６にて接着されていることから以下に説明するように、うなり音が発生しにくい。まず、待機電源等に使用するスイッチング電源は、電源効率を上げるために特殊な動作を行っている。例えば、通常のスイッチング電源であれば連続した発振周期で動作させるところを、負荷容量の小さい待機電源等に使用するスイッチング電源では、間欠動作等、特殊な動作波形で動作させている。
【００１６】
図３は、この間欠動作を説明するための図である。同図（Ａ）は電源の間欠動作を示しており、同図（Ｂ）は同図（Ａ）の波形の拡大図となっている。そのために、上記間欠発振の周期が人間の可聴周波数帯域に入っていると、うなり音が聞こえることがある。すなわち、磁脚４及び５が接着されていない場合、コア３の磁歪振動によりコイルボビン７に振動が伝わり、これがうなり音として生じる。磁脚４及び５が接着剤６にて接着されていれば、コア３の磁歪振動は弱くコイルボビン７へ伝わる振動も少ない。従って、うなり音が発生しにくいことになる。
【００１７】
また、前記コイルボビン７は少なくともコア半体１、２の磁脚４、５の突き合わせ位置に対応する部分の内径（コイルボビン７の中央部）が上部のそれに比較して広げられているため、接着剤６の量の管理をそれほど厳密にせずとも、接着剤６がはみ出してコア３とコイルボビン７が接着されることはない。接着剤６のはみ出しによるコア３とコイルボビン７との接着は、コイルボビン７がコア３と２カ所（上部で１ヶ所（接着剤１１または１２による）、中央部で１ヶ所（接着剤６による））で接着されることになることから、コンバータトランスで発生した熱等によりコア３、コイルボビン７が収縮や膨張を繰り返した際に応力が働いて、コア３やコイルボビン７にクラックが発生する原因となる。
【００１８】
本実施の形態によれば、接着剤６の量の管理をそれほど厳密にせずとも、はみ出した接着剤６がコア３とコイルボビン７とを接着してしまうといったことはない。従って、コンバータトランスの製造が容易となり、コストを低減することが出来る。
【００１９】
この発明は上述した実施の形態に限定されるものではなく、種々の変形が可能であることは言うまでもない。
【００２０】
【発明の効果】
以上説明したように、この発明によれば、うなり音が発生しにくいコンバータトランスを提供することができる。
【図面の簡単な説明】
【図１】本発明になるコンバータトランスの実施の形態の一例を示す断面図。
【図２】図１に示されたコンバータトランスの外観を示す正面図。
【図３】図１に示されたコンバータトランスの動作を説明するための図。
【符号の説明】
１、２：  コア半体
３：  コア
４、５：  磁脚
７：  コイルボビン
９：  円筒状部
【図１】
2004200336.tif 000003
【図２】
2004200336.tif 000004
【図３】
2004200336.tif 000005